(57)【要約】【課題】敷設工数の著しい増大を伴うことなく、床化粧材の捲れ上がりを抑制することができる床化粧材の敷設構造を提供する。【解決手段】建物のバルコニー２０には、バルコニー床２１と、バルコニー腰壁２２とが備えられている。バルコニー床２１は複数の梁２５,２６を備えており、各梁２５,２６上には床下地材２８と断熱材２９とがこの順で敷設されている。断熱材２９上には防水板３１が敷設され、防水板３１上には床化粧材３３が敷設されている。バルコニー腰壁２２は、複数の腰壁支柱４１と腰壁外板４２と腰壁内板４３とを備えている。各腰壁支柱４１間には内板固定板５５が架け渡され、この内板固定板５５に水切り材３０が取り付けられている。水切り材３０は、床化粧材３３の端縁部における上面に当接される床押え板部３０ｇを有している。【選択図】図３
2010071049.tif 000002
【特許請求の範囲】
【請求項１】
床面に床化粧材が敷設されて床が構成される床化粧材の敷設構造であって、
前記床面の周縁には壁が設けられ、前記壁の下部には前記床化粧材の端縁部を覆って前記床化粧材の端縁部の浮き上がりを規制する部分を備えていることを特徴とする床化粧材の敷設構造。
【請求項２】
前記壁の下部には水切り材が取り付けられており、
前記部分は、前記水切り材が備える床押え部であり、
前記床押え部は、前記床化粧材の端縁部における上面に当接又は近接されて前記床化粧材の端縁部の浮き上がりを規制することを特徴とする請求項１に記載の床化粧材の敷設構造。
【請求項３】
前記床押え部は、前記床化粧材の端縁部における上面に弾力により押しつけられた状態で当接されていることを特徴とする請求項２に記載の床化粧材の敷設構造。
【請求項４】
前記水切り材と前記床化粧材との間に緩衝材が介在されていることを特徴とする請求項２又は３に記載の床化粧材の敷設構造。
【請求項５】
前記壁の下部には水切り材が取り付けられており、
前記部分は、前記水切り材が備える係合部であり、
前記係合部は、前記床化粧材又はそれとの一体物に係合されて前記床化粧材の端縁部の前記壁から離間する側への移動を規制し、その結果前記床化粧材の端縁部の浮き上がりを規制することを特徴とする請求項１に記載の床化粧材の敷設構造。
【請求項６】
前記床化粧材又は前記一体物には、上方に立ち上がる起立部が設けられ、
前記係合部は、前記起立部よりも前記壁から離間された位置において前記起立部と高さ方向に重複する重複部を有しており、
前記重複部の少なくとも一部が前記起立部に当接されることにより前記係合部は前記床化粧材又は前記一体物に係合されていることを特徴とする請求項５に記載の床化粧材の敷設構造。
【請求項７】
前記床化粧材には、当該床化粧材とは別部材からなる係合部材が取り付けられており、
前記係合部材は、前記床化粧材に取り付けられることにより前記床化粧材との一体物とされており、
前記係合部は、前記係合部材に係合されることにより前記床化粧材の端縁部の前記壁から離間する側への移動を規制していることを特徴とする請求項５又は６に記載の床化粧材の敷設構造。
【請求項８】
前記水切り材の係合部と前記床化粧材又は前記一体物との間に緩衝材が介在されていることを特徴とする請求項５乃至７のいずれか１項に記載の床化粧材の敷設構造。
【請求項９】
前記床化粧材は、その端縁側の部位において比重が他の部位よりも大きくなるように形成されていることを特徴とする請求項１乃至８のいずれか１項に記載の床化粧材の敷設構造。
【発明の詳細な説明】
【技術分野】
【０００１】
本発明は、バルコニーやベランダ、屋上等の床面に床化粧材が敷設されて床が構成される床化粧材の敷設構造に関する。
【背景技術】
【０００２】
住宅等の建物には、屋外側にバルコニーやベランダ、屋上等（以下、これらを略してバルコニー等という）が設けられている場合がある。このような建物では、バルコニー等の床面上に床仕上げとして床化粧材が敷設されているのが一般的である。この種の床化粧材としては、矩形状に形成された樹脂製の床ベース（樹脂マット）の上面に合成樹脂、ラバー又はタイル等の表面材を配置してなる床化粧ユニットを複数連結することにより構成したものが知られている。これによれば、床化粧ユニットの連結数を増減させることによりバルコニー等の広さに応じて床化粧材を床面上に敷き詰めることができる。
【０００３】
しかしながら、このような床化粧材をバルコニー等の床面に敷設した場合、風が床化粧材の裏側（下方）に入り込み床化粧材が捲れ上がることが想定される。特に、床化粧材が軽量である場合には、強風が吹くと床化粧材全体が捲れ上がり、ひいては床化粧材が吹き飛んでしまうおそれがある。
【０００４】
そこで、かかる問題を解決するものとして、床化粧材を構成する複数の床化粧ユニットのうち端縁部に配置された各床化粧ユニットをそれらの裏側に設けられた貫通孔にステンレスパイプを挿通することにより連結し、そのステンレスパイプをバルコニー等の手すりにワイヤを介して固定する技術が提案されている（例えば、特許文献１）。これによれば、床化粧材の端縁部に配置された各床化粧ユニットをステンレスパイプ及びワイヤを介して手すりに固定することができるため、風による床化粧材の捲れ上がりを防止する効果が期待できる。
【特許文献１】特許第４０８７９８０号公報
【発明の開示】
【発明が解決しようとする課題】
【０００５】
しかしながら、上記特許文献１の技術では、各床化粧ユニットを連結し床化粧材を構成した後、床化粧材の端縁部に配置された各床化粧ユニットをステンレスパイプにより連結する作業と、ステンレスパイプを手すりにワイヤを介して固定する作業とを必要とするため、敷設施工時における工数増大が懸念される。また、床化粧材端縁部の各床化粧ユニットをステンレスパイプにより連結する際には、それら各床化粧ユニットを裏返した上で各貫通孔にそれぞれステンレスパイプを挿通する必要があり、その作業が面倒となることが考えられる。
【０００６】
ところで、かかる問題は複数の床化粧ユニットから構成される床化粧材に限って生じうる問題ではなく、シート状の床化粧材を敷設する場合においても同様に生じうる問題である。シート状の床化粧材を敷設する場合には、各床化粧ユニットを連結する作業が不要となるが、床化粧材の端縁部にステンレスパイプを取り付ける作業と、ステンレスパイプをワイヤを介して手すりに固定する作業とが必要である。したがって、この場合も敷設工数が増大するおそれがある。
【０００７】
本発明は、上記事情に鑑みてなされたものであり、敷設工数の著しい増大を伴うことなく、床化粧材の捲れ上がりを抑制することができる床化粧材の敷設構造を提供することを主たる目的とするものである。
【課題を解決するための手段】
【０００８】
上記課題を解決すべく、第１の発明の床化粧材の敷設構造は、床面に床化粧材が敷設されて床が構成される床化粧材の敷設構造であって、前記床面の周縁には壁が設けられ、前記壁の下部には前記床化粧材の端縁部を覆って前記床化粧材の端縁部の浮き上がりを規制する部分を備えていることを特徴とする。
【０００９】
本発明によれば、床面の周縁に設けられた壁の下部に備えられている部分により床化粧材の端縁部を覆って床化粧材の端縁部の浮き上がりを規制することができる。したがって、当該部分を壁の下部に簡易に取り付け等することができるようにすれば、床化粧材の端縁部の浮き上がりを簡素な構成により規制することができる。これにより、敷設工数の著しい増大を伴うことなく、床化粧材の捲れ上がりを抑制することができる。
【００１０】
第２の発明の床化粧材の敷設構造は、第１の発明において、前記壁の下部には水切り材が取り付けられており、前記部分は、前記水切り材が備える床押え部であり、前記床押え部は、前記床化粧材の端縁部における上面に当接又は近接されて前記床化粧材の端縁部の浮き上がりを規制することを特徴とする。
【００１１】
本発明によれば、壁の下部に取り付けられる水切り材の床押え部を床化粧材の端縁部における上面に当接又は近接させることにより床化粧材の端縁部の浮き上がりを規制することができる。これにより、床化粧材の端縁部の浮き上がりを簡素な構成により規制することができるため、第１の発明の効果を具体的に実現することができる。また、雨水等の水を水切りするための水切り材を床化粧材の端縁部の浮き上がりを規制するために兼用させる構成であるため、部材コストの上昇を抑えつつ床化粧材の捲れ上がりを抑制することができる利点もある。
【００１２】
ここで、水切り材の床押え部は壁の幅方向に沿って延びるように形成するのがよい。これにより、床押え部と床化粧材の端縁部における上面との間に形成される開口領域を狭めることができるため、風がその開口領域を通じて床化粧材の裏側（下方）へ入り込むのを抑制することができる。よって、床化粧材の捲れ上がりをより一層抑制する効果が期待できる。特に、水切り材の床押え部を床化粧材の端縁部における上面に近接させる場合には、床化粧材の当該上面を床押え部により直接押えつけることができないため、このような構成とすることで床化粧材の捲れ上がりの抑制を図るのが好ましい。
【００１３】
なお、水切り材を壁の下部にビス等の締結手段により取り付ける場合には、その締結手段を挿通するために水切り材に形成する貫通孔を上下方向に延びる縦長状の孔としてもよい。そうすれば、水切り材の取り付け位置をその貫通孔により許容される範囲内で上下に調整することが可能となる。したがって、その調整可能範囲内においては床化粧材の上面位置（換言すると床化粧材の厚さ）にかかわらず水切り材の床押え部を床化粧材の上面に当接させることができる。
【００１４】
第３の発明の床化粧材の敷設構造は、第２の発明において、前記床押え部は、前記床化粧材の端縁部における上面に弾力により押しつけられた状態で当接されていることを特徴とする。
【００１５】
本発明によれば、床押え部が床化粧材の端縁部における上面に弾力により押しつけられた状態で当接されているため、床化粧材の端縁部の浮きをより一層規制することができる。これにより、床化粧材の捲れ上がりをより一層抑制することが期待できる。
【００１６】
また、上記弾力については水切り材により生じさせる構成としてもよいし、水切り材以外の別部材により生じさせる構成としてもよいが、ここでは前者の構成とするのが望ましい。具体的には、水切り材を弾性体として形成し水切り材による弾力により床押え部を床化粧材の上面に押しつける構成とする。これにより、簡素な構成により本発明の効果を得ることができる。
【００１７】
さらに、水切り材は、弾性を有する板ばね材により形成するのがよい。この場合、水切り材の床押え部を壁の厚み方向へ傾斜するように形成し、さらにその床押え部が床化粧材の上面と接離する方向への弾性を有するように水切り材を形成するとよい。そうすれば、床押え部の壁の厚み方向における端部が略水平方向に向くように床押え部を撓ませ、その撓ませた状態で床押え部を床化粧材の上面に当接させることで床押え部を弾力により床化粧材の上面に押しつけることができる。これにより、本発明の効果をより一層簡素な構成で実現させることができる。
【００１８】
なお、上記弾力を水切り材により生じさせる構成とする場合には、上記弾力を床押え部により生じさせてもよいし、床押え部以外の部位により生じさせてもよい。
【００１９】
第４の発明の床化粧材の敷設構造は、第２又は第３の発明において、前記水切り材と前記床化粧材との間に緩衝材が介在されていることを特徴とする。
【００２０】
本発明によれば、水切り材と床化粧材との間に緩衝材が介在されているため、床化粧材が風の影響によりばたついて水切り材と衝突しても緩衝材によりその衝突を緩和させることができる。これにより、その衝突の際に発生する衝突音の低減を図ることができる。また、この場合、緩衝材により水切り材と床化粧材との間が閉塞されるため、風が水切り材と床化粧材との間を通じて床化粧材の裏側へ入り込むのを抑制することができる。したがって、床化粧材の捲れ上がりを抑制する効果も併せて得られる。
【００２１】
第５の発明の床化粧材の敷設構造は、第１の発明において、前記壁の下部には水切り材が取り付けられており、前記部分は、前記水切り材が備える係合部であり、前記係合部は、前記床化粧材又はそれとの一体物に係合されて前記床化粧材の端縁部の前記壁から離間する側への移動を規制し、その結果前記床化粧材の端縁部の浮き上がりを規制することを特徴とする。
【００２２】
本発明によれば、壁の下部に取り付けられている水切り材に備えられた係合部を床化粧材又はそれとの一体物に係合させることにより床化粧材の端縁部が壁から離間する側へ移動するのを規制することができ、ひいては床化粧材の端縁部の浮き上がりを規制することができる。したがって、床化粧材の裏側に風が入り込んで床化粧材の中央側が上方に吹き上げられた場合でも床化粧材の端縁部が壁から離間する側へ引っ張られやがて浮き上がるのを簡易な構成により防止することができる。これにより、第１の発明の効果を具体的に実現することができる。
【００２３】
この場合、係合部を床化粧材に係合させる構成とすれば、より一層簡素な構成で床化粧材の捲れ上がりを防止することができる。
【００２４】
第６の発明の床化粧材の敷設構造は、第５の発明において、前記床化粧材又は前記一体物には、上方に立ち上がる起立部が設けられ、前記係合部は、前記起立部よりも前記壁から離間された位置において前記起立部と高さ方向に重複する重複部を有しており、前記重複部の少なくとも一部が前記起立部に当接されることにより前記係合部は前記床化粧材又は前記一体物に係合されていることを特徴とする。
【００２５】
本発明によれば、水切り材の係合部の重複部は、床化粧材又はそれとの一体物に設けられた起立部よりも壁から離間された位置においてその起立部と高さ方向において重複している。そして、その重複部の一部が起立部に当接されることにより係合部が床化粧材又はそれとの一体物に係合されているため、床化粧材の端縁部が壁から離間する側へ移動されるのが規制されている。この場合、敷設施工時においては、水切り材の係合部の重複部を起立部に当接させる等の簡易な作業をすればよいため、より一層工数増大を抑えつつ床化粧材の捲れ上がりを抑制することができる。
【００２６】
また、水切り材の係合部と起立部とが高さ方向において重複していれば水切り材の係合部を起立部に係合させることが可能な構成であるため、係合部と起立部とを係合させるために水切り材の取り付け位置を上下に微調整する等の面倒な作業を減らすことができる。これにより、工数削減に寄与することができる。
【００２７】
ここで、なお起立部は、床化粧材との一体物に設けるのが望ましい。
【００２８】
第７の発明の床化粧材の敷設構造は、第５又は第６の発明において、前記床化粧材には、当該床化粧材とは別部材からなる係合部材が取り付けられており、前記係合部材は、前記床化粧材に取り付けられることにより前記床化粧材との一体物とされており、前記係合部は、前記係合部材に係合されることにより前記床化粧材の端縁部の前記壁から離間する側への移動を規制していることを特徴とする。
【００２９】
本発明によれば、床化粧材に取り付けられることにより床化粧材と一体物とされている係合部材に対して水切り材の係合部を係合させることにより床化粧材の端縁部が壁から離間する側へ移動するのを規制することができる。したがって、床化粧材に係合部を係合させることができない場合でも、係合部材を床化粧材に取り付けることにより第４の発明の効果を得ることができる。
【００３０】
床化粧材には、係合部材が取り付けられる取り付け部が設けられているのが望ましい。そうすれば、係合部材を決められた部位（取り付け部）に取り付ける等の簡易な作業をするだけで係合部材を床化粧材に取り付けることができる。
【００３１】
ところで、床化粧材には、複数の床化粧ユニットが連結されることにより構成されているものがある。このような床化粧材では各床化粧ユニットがその端縁部にそれぞれ連結部を有し、その連結部を介して隣接する床化粧ユニットと連結されている場合がある。そこで、このような床化粧材の場合、係合部材をその連結部を利用することで床化粧材の端縁部に取り付けるのが望ましい。これにより、各床化粧ユニットを連結する要領で係合部材を床化粧材に取り付けることができるため、係合部材を簡易な作業で床化粧材に取り付けることができる。
【００３２】
第８の発明の床化粧材の敷設構造は、第５乃至第７のいずれかの発明において、前記水切り材の係合部と前記床化粧材又は前記一体物との間に緩衝材が介在されていることを特徴とする。
【００３３】
本発明によれば、水切り材の係合部と床化粧材又はそれとの一体物との間に緩衝材が介在されているため、床化粧材が風の影響によりばたついて床化粧材又はそれとの一体物が水切り材と衝突しても緩衝材によりその衝突を緩和させることができる。これにより、その衝突の際に発生する衝突音の低減を図ることができる。
【００３４】
第９の発明の床化粧材の敷設構造は、第１乃至第８のいずれかの発明において、前記床化粧材は、その端縁側の部位において比重が他の部位よりも大きくなるように形成されていることを特徴とする。
【００３５】
本発明によれば、床化粧材は、その端縁側の部位において比重が他の部位よりも大きくなるように形成されているため、風の影響による床化粧材の浮き上がりが端縁側の部位においてはその他の部位よりも抑制される。すなわち、床化粧材の捲れ上がりの起点となりやすい床化粧材端縁側の浮きを抑制することができるため、より一層床化粧材の捲れ上がりを抑制することが期待できる。
【００３６】
また、床化粧材が複数の床化粧ユニットが連結されることにより構成されている場合には、各床化粧ユニットのうち端縁側に配置される床化粧ユニットをその他の床化粧ユニットよりも比重が大きくなるように形成することで本発明の効果を得ることができる。
【発明を実施するための最良の形態】
【００３７】
〔第１の実施形態〕
以下に、第１の実施形態について図面を参照しつつ説明する。なお、図１は本実施形態における建物の概略を示す縦断面図であり、図２はバルコニー周辺を示す横断面図である。
【００３８】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が形成され、同二階部分１４には第二居室１６等が形成されている。
【００３９】
建物１０の二階部分１４には、建物本体１１から屋外側に突出するようにしてバルコニー２０が設けられている。バルコニー２０は、第二居室１６と隣接して設けられており、外壁部１８により第二居室１６と仕切られている。外壁部１８の一部には窓部（例えば掃き出し窓）１９が設けられており、この窓部１９を通じてバルコニー２０への出入りが可能となっている。
【００４０】
バルコニー２０は、バルコニー床２１と、そのバルコニー床２１を囲むようにして立設されるバルコニー腰壁２２とを備えている。バルコニー床２１上には、図２に示すように、床仕上げとしての床化粧材３３が一面に敷設されている。バルコニー腰壁２２は、建物本体１１の外壁部１８から延びるようにして設けられる一対のバルコニー側腰壁２２ａと、これら各バルコニー側腰壁２２ａの先端部を繋ぐようにして設けられるバルコニー前腰壁２２ｂとを有している。
【００４１】
次に、バルコニー床２１及びバルコニー腰壁２２の構成について図３及び図４に基づいて説明する。図３はバルコニー腰壁２２の下部周辺の構成を示す縦断面図である。図４（ａ）は床化粧ユニット３４を示す平面図、図４（ｂ）は床化粧ユニット３４を示す正面図である。
【００４２】
図３に示すように、バルコニー床２１は、バルコニー前腰壁２２ｂの下縁部に沿って配設されたバルコニー床大梁２５と、バルコニー床大梁２５と直交する向きで建物本体１１からバルコニー床大梁２５に向かって架け渡された複数のバルコニー床小梁２６とを備えている。バルコニー床大梁２５は断面コ字状の溝形鋼よりなり、コ字状開口部を屋内側に向けて設けられている。バルコニー床小梁２６は四角筒状の角形鋼よりなる。バルコニー床大梁２５とバルコニー床小梁２６とは鉛直板状の梁ブラケット２７を介して溶接により連結されており、この連結状態においてバルコニー床大梁２５の上面とバルコニー床小梁２６の上面とはほぼ同じ高さとなっている。これら各梁２５，２６の上面には、ＡＬＣ床等からなる床下地材２８が敷設されている。床下地材２８の上には、発砲ポリスチレン樹脂等からなる断熱材２９が敷設されている。断熱材２９は、所定の厚さを有して板状に形成されており、床下地材２８の上面に接着剤等により貼り付けられている。
【００４３】
断熱材２９の上には、バルコニー２０から建物本体１１内への雨水の浸入を防止するために防水板３１が敷設されている。防水板３１は、例えば表面（上面）又は両面に塩化ビニル等の耐水皮膜が施された鋼板により形成されている。防水板３１は、断熱材２９の上面に沿って広がる平坦部３１ａと、その平坦部３１ａのバルコニー腰壁２２側端部が上方に折り曲げ形成された立ち上がり部３１ｂとを有している。防水板３１の立ち上がり部３１ｂは、バルコニー腰壁２２（詳細には、後述する腰壁支柱４１）下部の屋内側面に当接されている。これにより、雨水等の水がバルコニー床２１とバルコニー腰壁２２との間の角部を介して建物本体１１（例えば第一居室１５）内へ浸入するのを防止している。
【００４４】
防水板３１の平坦部３１ａ上には、床化粧材３３が敷設されている。床化粧材３３は、平面視において正方形状をなす床化粧ユニット３４が升目状に複数連結されることにより構成されている。図４に示すように、床化粧ユニット３４は、合成樹脂等により全体として略四角板状に形成された床ベース３５と、その床ベース３５上に貼り付けられた正方形状の複数の樹脂製タイル３６とを有してなる。本実施形態では、床ベース３５は正方形板状をなしており、その床ベース３５上に９個のタイル３６が升目状に３列×３個で配置されている。但し、床ベース３５は長方形板状又は長尺状に形成してもよいし、床ベース３５上に配置するタイル３６の個数は任意に設定してもよい。
【００４５】
床ベース３５は、正方形板状の本体ベース３５ａと、その本体ベース３５ａを下方から支持する脚部３５ｂとを有している。脚部３５ｂは、本体ベース３５ａの側面と平行に延びるように形成されており、本体ベース３５ａの裏面（下面）を格子状に区画するように複数配設されている。本体ベース３５ａには隣り合う二辺の端縁部の裏側に連結手段としての突片３７が複数設けられている。各突片３７は、それぞれ本体ベース３５ａの側面から突出するように設けられている。各突片３７は、本体ベース３５ａの当該端縁部に沿って所定間隔をおいて設けられており、各突片３７にはそれぞれ上下方向に貫通する連結孔３７ａが形成されている。
【００４６】
一方、本体ベース３５ａにおける残る二辺の端縁部の裏側には、下方に突出するとともに突片３７の連結孔３７ａに嵌合される連結ピン３８が複数設けられている。各連結ピン３８は、各突片３７と本体ベース３５ａを挟んで相対する位置にそれぞれ配置されている。そして、床化粧材３３において各床化粧ユニット３４はその連結ピン３８がそれぞれ隣接する床化粧ユニット３４の突片３７の連結孔３７ａに挿入され嵌合されることにより連結されている。
【００４７】
バルコニー腰壁２２は、Ｃ形鋼（リップ溝形鋼）よりなる腰壁支柱４１と、腰壁支柱４１の屋外側に配置された腰壁外板４２と、腰壁支柱４１の屋内側に配置された腰壁内板４３とを備えて構成されている。腰壁支柱４１は、バルコニー腰壁２２の幅方向に所定間隔をおいて複数立設されている。腰壁支柱４１の下部には、下部ブラケット４５が取り付けられている。下部ブラケット４５は、バルコニー床大梁２５の上面と平行の板面を有してなる平板状の板金部材である。下部ブラケット４５には、上下方向に貫通するとともに屋外側が開放された略矩形形状の開口部（図示略）が形成されている。下部ブラケット４５の開口部には腰壁支柱４１が上下方向に挿通されており、その挿通された状態において下部ブラケット４５は腰壁支柱４１に溶接により固定されている。
【００４８】
下部ブラケット４５は、バルコニー床大梁２５の上面に取り付けられている。バルコニー床大梁２５の上部フランジ２５ａ下面側にはウェルドナット４６が固定されており、このウェルドナット４６にボルト４７が下部ブラケット４５及びバルコニー床大梁２５の上部フランジ２５ａを介して締結されている。これにより、下部ブラケット４５は、バルコニー床大梁２５に固定されている。
【００４９】
腰壁支柱４１の下端部には、下端ブラケット４８が取り付けられている。下端ブラケット４８は縦断面Ｌ字状の板材であり、腰壁支柱４１の下端部に当接された水平板部４８ａと、その水平板部４８ａの屋内側端部が下方に折り曲げられて形成された鉛直板部４８ｂとを有している。下端ブラケット４８は、水平板部４８ａが腰壁支柱４１の下端部に溶接により固定されている。
【００５０】
下端ブラケット４８は、鉛直板部４８ｂがバルコニー床大梁２５のウェブ２５ｂ面に取り付けられている。バルコニー床大梁２５のウェブ２５ｂの内側面には、ウェルドナット４９が固定されている。このウェルドナット４９にボルト５０が下端ブラケット４８の鉛直板部４８ｂ及びバルコニー床大梁２５のウェブ２５ｂを介して締結されている。これにより、下端ブラケット４８は、バルコニー床大梁２５に固定されている。よって、各腰壁支柱４１はそれぞれ各ブラケット４５，４８を介してバルコニー床大梁２５に固定されている。
【００５１】
隣り合う各腰壁支柱４１間にはそれぞれ、その下端部において断面Ｌ字状の外板固定板５４が架け渡されている。外板固定板５４は、腰壁支柱４１の屋外側端面と略面一となる板面を有する鉛直板部５４ａと、鉛直板部５４ａの上端部が屋内側に折り曲げ形成された水平板部５４ｂとを有している。そして、この外板固定板５４の鉛直板部５４ａの屋外側面に腰壁外板４２がビス６１により固定されている。
【００５２】
また、隣り合う各腰壁支柱４１間にはそれぞれ、腰壁支柱４１の高さ方向における中間位置において断面コ字状の内板固定板５５が架け渡されている。内板固定板５５は、腰壁支柱４１の屋内側端面と略面一となる板面を有する鉛直板部５５ａと、その鉛直板部５５ａの上下方向両端部において屋外側に折り曲げ形成された一対の水平板部５５ｂとを有している。そして、この内板固定板５５の鉛直板部５５ａの屋内側面に腰壁内板４３がビス６２により固定されている。
【００５３】
腰壁内板４３の下方には、水切り材３０が内板固定板５５に取り付けられている。本実施形態では、この水切り材３０の構成について特徴的な点を有している。そこで、以下に水切り材３０及びその周辺の構成について図３に加え図５も参照しつつ説明する。なお、図５は水切り材３０を示す斜視図である。
【００５４】
水切り材３０は、塩化ビニル等の耐水皮膜が両面に施された鋼板により形成されている。水切り材３０は、腰壁内板４３の下端部に沿って長尺状に形成されており、詳細には図５に示すように複数の水切り材３０がジョイナー３９を介して溶接により繋ぎ合わせられることで長尺状とされている。なお、水切り材３０は、アルミ等の他の金属により形成してもよいし合成樹脂により形成してもよい。また、水切り材３０を長尺状の単品物として構成してもよい。
【００５５】
水切り材３０は、腰壁内板４３の下端部に当接された上端部から屋内側へ向かって下方傾斜して延びる上側傾斜板部３０ａと、その上側傾斜板部３０ａの下端部から下方に延びる上側立ち上がり板部３０ｂとを有している。そのため、降雨時等に腰壁内板４３の屋内側面を伝って下方に流れた雨水等の水が腰壁内板４３の下端部に沿って屋外側にまわりこんだとしても、その水を腰壁内板４３の下端部に当接された水切り材３０の上側傾斜板部３０ａの上端部を介して上側傾斜板部３０ａの上面（屋内側面）に導くことができる。そして、この上側傾斜板部３０ａの上面に導かれた水は上側立ち上がり板部３０ｂ屋内側面を伝って下方に流れる。すなわち、ここでは、雨水等の水が腰壁内板４３の下端部に沿って水切り材３０の裏側にまわりこまないようにされている。
内板固定板５５の下端部から滴下した場合には、水切り材３０の上側傾斜板部上に滴下した後上側立ち上がり部の屋内側面を伝って下方へ導かれるようになっている。
【００５６】
水切り材３０は、上側立ち上がり板部３０ｂの下端部が内板固定板５５の高さ方向における中間位置に設定されており、その下端部から屋外側に延びる水平板部３０ｃと、その水平板部３０ｃの屋外側端部から下方に延びるとともに内板固定板５５の鉛直板部５５ａに取り付けられる取り付け板部３０ｄと、その取り付け板部３０ｄの下端部から屋内側に下方傾斜して延びる下側傾斜板部３０ｅとを有している。水切り材３０の取り付け板部３０ｄは、ビス６３により内板固定板５５の鉛直板部５５ａの屋内側面に取り付けられている。詳細には、水切り材３０の取り付け板部３０ｄと内板固定板５５の鉛直板部５５ａとの間には前述した防水板３１の立ち上がり部３１ｂの上端部が挟み込まれており、水切り材３０の取り付け板部３０ｄはこの防水板３１の立ち上がり部３１ｂが挟み込まれた状態で内板固定板５５に取り付けられている。これにより、水切り材３０が内板固定板５５に固定されるとともに防水板３１の立ち上がり部３１ａが固定される。
【００５７】
また、水切り材３０は、下側傾斜板部３０ｅの屋内側端部において下方に折り曲げられ床化粧材３３（詳細には、床化粧ユニット３４のタイル３６）の上面まで延びる下側立ち上がり板部３０ｆと、下側立ち上がり板部３０ｆの下端部から屋外側に延びその下面が床化粧材３３の端縁部における上面に当接される床押え板部３０ｇとをさらに有している。ここで、水切り材３０は、床押え板部３０ｇの下面が床化粧材３３の端縁部における上面に当接された状態で内板固定板５５に取り付けられている。そのため、風により床化粧材３３の端縁部が浮き上がるのを防止することができる。なお、水切り材３０の取り付け板部３０ｄに形成されるビス６３挿通用の貫通孔（図示略）は上下方向に延びる縦長孔としてもよい。そうすれば、水切り材３０の取り付け位置を縦長孔により許容される範囲内で上下に調整することができるため、その調整可能範囲内においては床化粧材３３の上面位置（換言すると床化粧材３３の厚さ）にかかわらず水切り材３０の床押え板部３０ｇを床化粧材３３の上面に当接させることができる。
【００５８】
腰壁内板４３の下端部裏側（屋外側）には、防水シート５７の上端部が配設されている。防水シート５７は、腰壁内板４３の下端部に沿った横長状とされ、柔軟性を有している。防水シート５７の上端部は、腰壁内板４３の裏面と内板固定板５５の屋内側面との間に挟み込まれており、前述したビス６２により貫通された状態で取り付けられている。一方、防水シート５７の下部は下方に垂下されて水切り材３０の取り付け板部３０ｄの屋外側面と防水板３１の立ち上がり部３１ｂの屋内側面との間に挟み込まれており、前述したビス６３により貫通された状態で取り付けられている。これにより、腰壁内板４３の屋内側面を伝って下方に流れた雨水等の水が腰壁内板４３の下端部に沿って屋外側にまわりこみ腰壁内板４３の下端部と水切り材３０の上端部との間を通じて水切り材３０の裏側（屋外側）へ浸入しても、その水が防水シート５７の表面（屋内側面）を伝って下方に導かれるようになっている。
【００５９】
そして、防水シート５７の下部はさらに垂下されてその下端部が防水板３１の立ち上がり部３１ｂの上端部よりも下方に位置している。これにより、防水シート５７の表面を伝って下方に導かれた水が防水板３１の立ち上がり部３１ｂと腰壁支柱４１の屋内側面との間に入り込むのを防止している。
【００６０】
また、防水シート５７の下部には屋外側面に薄型横長状のスポンジ材５８が防水シート５７の長手方向に沿って貼り付けられている。スポンジ材５８は、水切り材３０の取り付け板部３０ｄの屋外側面（詳細には防水シート５７の屋外側面）と防水板３１の立ち上がり部３１ｂの屋内側面との間に圧縮された状態で介在されている。
【００６１】
以上、詳述した本実施形態の構成によれば、以下の優れた効果が得られる。
【００６２】
水切り材３０の床押え板部３０ｇが床化粧材３３の端縁部における上面に当接されているため床化粧材３３の端縁部の浮き上がりを規制することができる。これにより、敷設工数の著しい増大を伴うことなく、床化粧材３３の捲れ上がりを抑制することができる。
【００６３】
雨水等の水を水切りするための水切り材３０を床化粧材３３端縁部の浮き上がりの規制にも兼用させる構成とした。したがって、バルコニー２０に別途部材を設けることなく床化粧材３３の捲れ上がりを抑制することができる。すなわち、部材コストの上昇を抑えつつ床化粧材３３の捲れ上がりを抑制することができる。
【００６４】
〔第２の実施形態〕
第１の実施形態では、水切り材３０の床押え板部３０ｇを床化粧材３３の端縁部における上面に当接させることにより床化粧材３３の端縁部の浮き上がりを防止する構成としたが、本実施形態ではこれを変更する。本実施形態では、床化粧材３３のバルコニー腰壁２２側端部に床化粧材役物７１を取り付け、その床化粧材役物７１を水切り材７０に係合させることにより床化粧材３３の端縁部がバルコニー腰壁２２から離間する側へ移動するのを規制する構成とする。そこで、以下に、本実施形態の構成を図６に基づき第１の実施形態との相違点を中心に説明する。図６は、本実施形態におけるバルコニー腰壁２２の下部周辺の構成を示す縦断面図である。なお、図６では第１の実施形態と同一の構成については同一の符号を付して説明を省略する。
【００６５】
図６に示すように、本実施形態における水切り材７０は、第１の実施形態における水切り材３０と下部の構成のみが相違する。すなわち、水切り材７０は、上側傾斜板部７０ａ、上側立ち上がり板部７０ｂ、水平板部７０ｃ、取り付け板部７０ｄ及び下側傾斜板部７０ｅを有しているが、これら各板部７０ａ〜７０ｅは第１の実施形態における水切り材３０の各板部３０ａ〜３０ｅと同一の構成である。そのため、ここではこれら各板部７０ａ〜７０ｅについての説明を省略する。
【００６６】
水切り材７０は、下側傾斜板部７０ｅの屋内側端部から下方に延びる下側立ち上がり板部７０ｆと、その下側立ち上がり板部７０ｆの下端部から屋外側に下方傾斜して延びる係合板部７０ｇとをさらに有している。
【００６７】
床化粧材３３のバルコニー腰壁２２側端部には、水切り材７０の係合板部７０ｇと係合される床化粧材役物７１が取り付けられている。床化粧材役物７１は、金属製の板材により形成されており、床化粧材３３の端縁部に沿って延びるように形成されている。床化粧材役物７１は、床化粧材３３のバルコニー腰壁２２側端部と防水板３１の立ち上がり部３１ｂとの間を通じて上下方向に延びる起立板部７１ａと、起立板部７１ａの上端部から屋内側へ上方傾斜して延びる係合板部７１ｂと、起立板部７１ａの下端部から防水板３１（詳細には平坦部３１ａ）の上面に当接されて屋内側に延びる下端水平板部７１ｃとを有している。ここで、係合板部７１ｂの傾斜面は、水切り材７０の係合板部７０の傾斜面と略平行とされている。
【００６８】
下端水平板部７１ｃの上面には、床化粧材３３の端縁部が載せられている。具体的には、床化粧材３３の端縁部に配置された各床化粧ユニット３４（以下、端縁側床化粧ユニット３４ａという）の各脚部３５ｂのうちそれぞれ最もバルコニー腰壁２２寄りに配設された脚部３５ｂが下端水平板部７１ｃ上に載せられている。したがって、床化粧材３３の各端縁側床化粧ユニット３４ａは、屋外側へ向かってやや上方傾斜している。
【００６９】
下端水平板部７１ｃの屋内側端部は、各端縁側床化粧ユニット３４ａにおいて最もバルコニー腰壁２２寄りに配設された脚部３５ｂよりも屋内側の位置に設定されている。床化粧材役物７１は、この下端水平板部７１ｃの屋内側端部が上方に折り曲げられることにより形成された複数の挿し込み板部７１ｄをさらに有している。各挿し込み板部７１ｄは、隣り合う脚部３５ｂ同士の離間距離とほぼ同一の幅を有してなる。端縁側床化粧ユニット３４ａの裏側には、格子状に配設された各脚部３５ｂによって囲まれた複数の凹空間７２が形成されているが、各挿し込み板部７１ｄはこれら各凹空間７２のうち最もバルコニー腰壁２２寄りの凹空間７２にそれぞれ挿し込まれている。これにより、各挿し込み板部７１ｄが当該凹空間７２に嵌合されるため、床化粧材役物７１が床化粧材３３の端縁部に取り付けられる。
【００７０】
そして、床化粧材役物７１の係合板部７１ｂの下側傾斜面は水切り材７０の係合板部７０ｇの上側傾斜面に当接している。これにより、床化粧材役物７１の係合板部７１ｂは水切り材７０の係合板部７０ｇに係合され、床化粧材３３の端縁部がバルコニー腰壁２２から離間する側へ移動されるのが規制される。
【００７１】
なお、水切り材７０の取り付け板部７０ｄに形成されるビス６３挿通用の貫通孔（図示略）を上下方向に延びる縦長孔とし、水切り材７０の取り付け位置を縦長孔により許容される範囲内で上下に調整できるようにしてもよい。そうすれば、床化粧材役物７１の組み付け誤差等により係合板部７１ｂの位置が上下に変動しても水切り材７０の取り付け位置を上下に調整することで係合板部７０ｇを床化粧材役物７１の係合板部７１ｂに係合させることができる。
【００７２】
以上、詳述した本実施形態の構成によれば、以下の優れた効果が得られる。
【００７３】
床化粧材役物７１の係合板部７１ｂが水切り材７０の係合板部７０ｇに係合されることにより床化粧材３３の端縁部がバルコニー腰壁２２から離間する側へ移動されるのが規制されている。これにより、床化粧材３３の裏側に風が入り込んで床化粧材３３の中央側が上方に吹き上げられた場合でも床化粧材３３の端縁部がバルコニー腰壁２２から離間する側へ引っ張られ、やがて浮き上がるのを防止することができる。よって、床化粧材３３の捲れ上がりを抑制することができる。
【００７４】
また、敷設施工時にはバルコニー床２１上に床化粧材３３を敷設する作業の他、床化粧材役物７１を床化粧材３３の端縁部に取り付ける作業やその床化粧材役物７１に水切り材７０の係合板部７０ｇを係合させる作業等の簡易な作業をすればよい。よって、敷設工数の著しい増大を伴うことなく、床化粧材３３の捲れ上がりを抑制することができる。
【００７５】
〔他の実施形態〕
本発明は上記実施形態に限らず、例えば次のように実施されてもよい。
【００７６】
（１）上記第１の実施形態では、水切り材３０の床押え板部３０ｇの下面を床化粧材３３の上面に当接させる構成としたが、図７に示すように床押え板部３０ｇの下面を床化粧材３３の上面に近接させる構成としてもよい。この場合、仮に風の影響により床化粧材３３の端縁部が浮き上がっても、所定の位置まで浮き上がると床化粧材３３の上面が水切り材３０の床押え板部３０ｇの下面に当接される。したがって、床化粧材３３の端縁部がそれ以上浮き上がるのが規制されるため、その結果床化粧材３３の捲れ上がりを抑制することができる。
【００７７】
また、水切り材３０の下部を構成する下側立ち上がり板部３０ｆ及び床押え板部３０ｇはバルコニー腰壁２２の幅方向に沿って延びるように形成されている。これにより、水切り材３０の下部と床化粧材３３の上面との間に形成される開口領域を狭めることができるため、風がその開口領域を通じて床化粧材３３の裏側へ入り込むのを抑制することができる。したがって、この場合、その点からも床化粧材３３の捲れ上がりを抑制することができる。
【００７８】
なお、ここで「近接」とは、仮に床化粧材３３の端縁側に配置された床化粧ユニット３４をその屋内側端部に配置された脚部３５ｂを軸として回動させた場合に、床化粧ユニット３４の上面が水切り材３０の床押え板部３０ｇの下面に当接されて床化粧ユニット３４の回動が規制されるほど床押え板部３０ｇの下面と床化粧ユニット３４の上面とが近づいていることをいう。
【００７９】
（２）図８（ａ）に示すように、床化粧材７５を構成する各床化粧ユニット７６のうち端縁側に配置された床化粧ユニット７６（以下、端縁側床化粧ユニット７６ａという）をその他の床化粧ユニット７６よりも比重が大きくなるように形成してもよい。具体的には、図８（ｂ）に示すように、端縁側床化粧ユニット７６ａのタイル７７を樹脂よりも比重の大きい陶器等により形成するのがよい。これにより、床化粧材７５の捲れ上がりの起点となりやすい端縁側床化粧ユニット７６ａの浮き上がりを防止するために寄与することができる。そのため、より一層床化粧材７５の捲れ上がりを防止する効果が期待できる。また、図８（ｃ）に示すように、端縁側床化粧ユニット７６ａに貼り付けられる各タイル７８のうち端の一列のみを陶器製タイル７８ａとしてもよい。この場合、陶器製タイル７８ａが床化粧材７５の端縁側に位置するように各端縁側床化粧ユニット７６ａを配置する必要がある。
【００８０】
（３）上記第１の実施形態における水切り材３０は、当該実施形態で示した形状に限定されることなく、その形状を変更してもよい。例えば、図９（ａ）に示すように、水切り材８１の取り付け板部８１ａの下端部を屋内側に折り曲げることにより床化粧材３３の上面に当接される床押え板部８１ｂを形成してもよい。これにより、水切り材８１を簡素な構成とすることができる。
【００８１】
また、図９（ｂ）に示すように、水切り材８２を取り付け板部８２ａと、その取り付け板部８２ａの下端部から屋内側に下方傾斜して延びる傾斜板部８２ｂと、その傾斜板部８２ｂの屋内側端部から下方に延びる立ち上がり板部８２ｃと、その立ち上がり板部８２ｃの下端部から屋外側に延びるとともに床化粧材３３の上面に当接される床押え板部８２ｄとから構成してもよい。つまり、かかる水切り材８２は、第１の実施形態における水切り材３０から取り付け板部３０ｄよりも上方の各板部３０ａ〜３０ｃを取り除いたものと同じものである。これにより、水切り材８２をより一層簡素な構成とすることができる。
【００８２】
さらに、図９（ｃ）に示すように、水切り材８３を取り付け板部８３ａと、取り付け板部８３ａの下端部から屋内側に延びて床化粧材３３の上面に当接される床押え板部８３ｂとから構成してもよい。これにより、水切り材８３をさらに簡素な構成とすることができる。
【００８３】
その他、図９（ｄ）及び（ｅ）に示すように、水切り材８４，８５の床押え板部８４ａ，８５ａの屋外側端部をまず下方に折り曲げ、さらにその下端部を屋内側に折り曲げることでフック状の挟み込み部８４ｂ，８５ｂを形成してもよい。この場合、その挟み込み部８４ｂ，８５ｂにより床化粧材３３の端縁部を挟み込むことができるため、風の影響により床化粧材３３の端縁部がバルコニー腰壁２２から離間する側へ引っ張られるのを抑止することができる。
【００８４】
（４）また、上記第２の実施形態における水切り材７０についても当該実施形態で示した形状に限定されることなく、その形状を変更してもよい。そこで、図１０（ａ）〜（ｃ）にその具体例を示す。なお、図１０（ａ）〜（ｃ）では、水切り材７０の係合板部７０ｇの形状を変更した例を示す。
【００８５】
図１０（ａ）に示す水切り材８６は、下側傾斜板部８６ａの屋内側端部から屋外側に下方傾斜して延びるように係合板部８６ｂが形成されている。図１０（ｂ）に示す水切り材８７は、下側傾斜板部８７ａの屋内側端部から下方に延びるように係合板部８７ｂが形成されている。図１０（ｃ）に示す水切り材８８は、下側傾斜板部８８ａの屋内側端部から下降するにつれて屋外側に湾曲されるように係合板部８８ｂが形成されている。なお、これらの各場合、床化粧材役物７１の係合板部７１ｂを各係合板部８６ｂ〜８８ｂの形状に対応させて形成する必要がある。
【００８６】
（５）上記実施形態では、水切り材３０，７０をビス６３により直接バルコニー腰壁２２に取り付けたが、図１１（ａ）に示すように、水切り材９０をブラケット８９を介してバルコニー腰壁２２に取り付けるようにしてもよい。この場合、ブラケット８９は、腰壁内板４３の下方にて腰壁内板４３の下端部に沿って延びるように形成されている。ブラケット８９は、金属製の板材が折り曲げられることにより形成されており、内板固定板５５の屋内側面に取り付けられる取り付け板部８９ａと、取り付け板部８９ａの上下方向両端部からそれぞれ屋内側に同じ距離だけ延びる一対の水平板部８９ｂ，８９ｃと、各水平板部８９ｂ，８９ｃの屋内側端部からそれぞれ離間する側に延びる一対の鉛直板部８９ｄ，８９ｅとを有している。ブラケット８９の取り付け板部８９ａは内板固定板５５の屋内側面にビス等により取り付けられている。
【００８７】
また、ブラケット８９は、上側鉛直板部８９ｄの上端部から屋外側に上方傾斜して延びる上側傾斜板部８９ｆと、下側鉛直板部８９ｅの下端部から屋外側に下方傾斜して延びる下側傾斜板部８９ｇとをさらに有している。上側傾斜板部８９ｆの上端部（屋外側端部）と腰壁内板４３の下端部との間及び上側傾斜板部８９ｆの屋内側端部と内板固定板５５の屋内側面との間には所定の隙間が形成されている。一方、下側傾斜板部８９ｇの下端部（屋外側端部）と床化粧材３３の上面との間及び下側傾斜板部８９ｇの屋内側端部と腰壁支柱４１の屋内側面との間にも所定の隙間が形成されている。
【００８８】
それに対して、このブラケット８９に取り付けられる水切り材９０は、例えば弾力性とともに耐水性を有する樹脂等により形成されている。水切り材９０は、全体として縦断面略コ字状をなしており、ブラケット８９の長手方向に沿って長尺状に形成されている。水切り材９０は、上下方向に延びるとともにブラケット８９の鉛直板部８９ｄ，８９ｅの屋内側面に当接又は近接される鉛直板部９０ａを有している。また、水切り材９０は、鉛直板部９０ａの上端部からブラケット８９の上端部と腰壁内板４３の下端部との間を通じて屋外側に延びる上板部９０ｂと、鉛直板部９０ａの下端部からブラケット８９の下端部と床化粧材３３の上面との間を通じて屋外側に延びるとともに床化粧材３３の端縁部における上面に当接される下板部９０ｃとを有している。ここで、下板部９０ｃが床化粧材３３の端縁部の浮き上がりを防止するために機能する。
【００８９】
水切り材９０の上板部９０ｂ及び下板部９０ｃの内側にはそれぞれブラケット８９に係合される係合部９０ｄが内側に向かって突出するように形成されている。各係合部９０ｄは、各板部９０ｂ，９０ｃの長手方向に沿って延びるように形成されている。水切り材９０のコ字状開口部の開口高さはブラケット８９の高さとほぼ同一に設定されている。水切り材９０は、そのコ字状開口部にブラケット８９を挿し入れた状態で各係合部９０ｄをそれぞれブラケット８９の上下方向両端部（上側傾斜板部８９ｆの上端部及び下側傾斜板部８９ｇの下端部）に係合させブラケット８９に対し脱着可能に取り付けられている。これにより、水切り材９０が汚れた場合に水切り材９０を容易に交換することができる。
【００９０】
（６）上記（５）で示した、水切り材９０をブラケット８９に脱着可能に取り付ける構成において、ブラケット８９及び水切り材９０はそれぞれ図１１（ａ）に示す形状に限定されることなく他の形状により形成してもよい。例えば、ブラケット９１については、図１１（ｂ）に示すように取り付け板部９１ａと、取り付け板部９１ａの上下方向両端部からそれぞれ屋内側に同じ距離だけ延びる一対の水平板部９１ｂ，９１ｃと、上側水平板部９１ｂの屋内側端部から屋外側へ上方傾斜して延びる上側傾斜板部９１ｄと、ブラケット９１の屋内側端部から屋外側へ下方傾斜して延びる下側傾斜板部９１ｅとから構成してもよい。この場合、水切り材９０は、各係合部９０ｄがブラケット９１における上側傾斜板部９１ｄの上端部及び下側傾斜板部９１ｅの下端部にそれぞれ係合されて取り付けられる。これにより、ブラケット９１を簡素な構成とすることができる。
【００９１】
また、図１１（ｃ）に示すように、ブラケット９２を、取り付け板部９２ａと、取り付け板部９２ａの上下方向両端部からそれぞれ屋内側に同じ距離だけ延びる一対の水平板部９２ｂ，９２ｃとを備えて構成し全体として縦断面略コ字状に形成してもよい。そして、各水平板部９２ｂ，９２ｃの外側面にはそれぞれ、外側へ突出するとともに水切り材９０の係合部９０ｄが係合される係合部９２ｄを各水平板部９２ｂ，９２ｃの長手方向に沿って設け、この係合部９２ｄに水切り材９０の係合部９０ｄを係合させることにより水切り材９０を取り付ける構成とする。これにより、ブラケット９２をより一層簡素な構成とすることができる。ここで、ブラケット９２の各係合部９２ｄには、屋外側へ向かうにつれて水平板部９２ｂ，９２ｃから離間するように傾斜する傾斜面９２ｅを形成するとよい。そうすれば、水切り材９０をブラケット９２に被せるように屋内側へスライド移動させることにより水切り材９０の係合部９０ｄがブラケット９２の係合部９２ｄの傾斜面９２ｅに沿って所定の係合位置に導かれるため、水切り材９０をスムーズにブラケット９２に取り付けることが可能となる。
【００９２】
一方、水切り材９３については、図１１（ｄ）に示すように、水切り材９３の下板部９３ａの屋外側端部をまず下方に折り曲げ、さらにその下端部を屋内側に折り曲げることによりフック状の挟み込み部９３ｂを形成してもよい。この場合、その挟み込み部９３ｂに床化粧材３３の端縁部を挟み込むことができるため、風の影響により床化粧材３３の端縁部がバルコニー腰壁２２から離間する側へ引っ張られるのを抑止することができる。その他、図１１（ｅ）に示すように、水切り材９４の上板部９４ａの屋外側端部を上方に折り曲げて鉛直板部９４ｂを形成してもよいし、図１１（ｆ）に示すように、その水切り材９４にさらに挟み込み部９５ａを形成し水切り材９５を構成してもよい。
【００９３】
（７）上記第１の実施形態における水切り材３０の床押え板部３０ｇの下面と床化粧材３３の上面との間に緩衝材としてのクッション材１０１を介在させてもよい。この場合、図１２（ａ）に示すようにクッション材１０１を床押え板部３０ｇに沿って横長状とされたゴム材等からなるものとし、そのクッション材１０１を床押え板部３０ｇの下面に貼り付ければよい。あるいは、図１２（ｂ）に示すように、そのクッション材１０１を床化粧材３３上面における水切り材３０の床押え板部３０ｇの下方位置に貼り付けてもよい。これにより、床化粧材３３が風の影響によりばたついて水切り材３０と衝突してもクッション材１０１によりその衝突を緩和させることができるため、その衝突に伴い発生する衝突音の低減を図ることができる。また、この場合、水切り材３０の床押え板部３０ｇと床化粧材３３の上面との間がクッション材１０１により閉塞されるため、風がそれらの間を通じて床化粧材３３の裏側へ入り込むのを抑制することができる。したがって、床化粧材３３の捲れ上がりを抑制する効果も併せて得られる。なお、クッション材１０１は、水切り材３０の床押え板部３０ｇの下面と床化粧材３３の上面との間において、水切り材３０の長手方向全域に渡って介在させてもよいし、その一部にのみ介在させてもよい。
【００９４】
また、上記（３）で示した挟み込み部８４ｂ，８５ｂを有する水切り材８４，８５の場合（図９（ｄ）及び（ｅ）参照）には、図１２（ｃ）に示すように、クッション材１０２を床押え板部８４ａ,８５ａの下面と床化粧材３３の上面との間だけではなく挟み込み部８４ｂ，８５ｂにおける鉛直板部の屋内側面と床化粧材３３の側面との間にも連続させて介在させるのが望ましい。
【００９５】
さらには、上記第２の実施形態における水切り材７０の場合には、図１２（ｄ）に示すように、クッション材１０３を水切り材７０の係合板部７０ｇの両面に跨るようにして貼り付けるとよい。これにより、クッション材１０３が水切り材７０の係合板部７０ｇの下側面（屋内側面）と床化粧材３３の上面との間に介在される他、水切り材７０の係合板部７０ｇと床化粧材役物７１の係合板部７１ｂとの間に介在される。したがって、床化粧材３３が風の影響によりばたついて水切り材７０と衝突し、さらにはその衝突に伴い水切り材７０が床化粧材役物７１に衝突してもクッション材１０３によりそれらの衝突を緩和させることができる。その結果、それらの衝突に伴い発生する衝突音の低減を図ることができる。
【００９６】
（８）上記第２の実施形態では、金属製の板材を折り曲げることにより床化粧材役物７１を形成したが、床化粧材役物７１の構成は当該実施形態において示したものに限定されない。そこで、以下に床化粧材役物７１の別例について図１３を参照しつつ説明する。
【００９７】
この場合、床化粧材３３は、その各辺の端縁部にそれぞれ床化粧ユニット３４の突片３７が少なくとも一部配置されるように構成されている。
【００９８】
床化粧材役物１０５は、例えば樹脂成型により形成されている。床化粧材役物１０５は、バルコニー腰壁２２下部（詳細には防水板３１の立ち上がり部３１ｂ）と床化粧材３３のバルコニー腰壁２２側端部との間に配設されており、床化粧材３３の端縁部に沿って延びるように形成されている。床化粧材役物１０５は、縦断面略コ字状に形成された係合部１０６を有している。係合部１０６は、コ字状開口部を上方に向けた状態で床化粧材３３の端縁部に沿って延びている。
【００９９】
床化粧材役物１０５には、その係合部１０６のバルコニー腰壁２２側端部において係合部１０６の下面から下方に突出するように支持部１０７が設けられている。支持部１０７の下端部は防水板３１の平坦部３１ａの上面に当接されており、この支持部１０７により床化粧材役物１０５は防水板３１上にて支持されている。また、床化粧材役物１０５には、支持部１０７よりも屋内側に係合部１０６の下面から下方に突出するように連結部１０８が複数設けられている。各連結部１０８は、全体として略円柱状に形成されており、詳細には各連結部１０８の下部が上部よりも拡径された拡径部１０８ａとなっている。拡径部１０８ａは、その下端部から上方に向かうにつれて外径が大きくなるように形成されており、その上端部の外径が突片３７の連結孔３７ａの孔径よりも若干大きく設定されている。
【０１００】
床化粧材役物１０５の各連結部１０８は、床化粧材３３の端縁部に配置された各突片３７の連結孔３７ａに対応する位置にそれぞれ設けられている。床化粧材役物１０５は、各連結部１０８がそれらの床化粧材３３端縁側の各連結孔３７ａに挿入されることにより床化粧材３３端部に取り付けられている。したがって、床化粧材役物１０５は床化粧材３３に対して容易に取り付け可能とされている。また、その挿入状態において連結部１０８の拡径部１０８ａの上端が突片３７の連結孔３７ａよりも下方に位置しているため、連結部１０８が上方へ引っ張られた場合にはその拡径部１０８ａの上端部周縁が突片３７の下面に当接されて連結部１０８の上方への移動が規制される。すなわち、床化粧材役物１０５において拡径部１０８ａは連結部１０８の抜け止めとして機能され、床化粧材役物１０５が床化粧材３３から容易に外れるのを防止している。
【０１０１】
床化粧材役物１０５の係合部１０６のコ字状溝には、水切り材７０の係合板部７０ｇの下端部が配設されている。具体的には、水切り材７０の係合板部７０ｇの下端部（屋外側端部）は、床化粧材役物１０５の係合部１０６に形成されたコ字状溝の屋外側面１０６ａに当接されている。これにより、床化粧材役物１０５の係合部１０６に水切り材７０の係合板部７０ｇが係合されるため、床化粧材３３の端縁部がバルコニー腰壁２２から離間する側へ移動されるのを簡素な構成で規制することができる。
【０１０２】
（９）上記第１の実施形態では、水切り材３０の床押え板部３０ｇを床化粧材３３の上面に当接させることにより床化粧材３３の端縁部の浮き上がりを防止する構成としたが、これを変更してもよい。例えば、図１４に示すように、水切り材１１０を弾性を有する板ばね材等から形成し、水切り材１１０の床押え板部１１０ａを弾力により床化粧材３３の上面に押しつけた状態で当接させてもよい。この場合、図１４において二点鎖線で示すように、水切り材１１０の床押え板部１１０ａは、屋外側へ向かうにつれて下方傾斜するように形成するとよい。そして、図１４において実線で示すように、水切り材１１０の取り付け状態において床押え板部１１０ａを略水平板状となるように上方に撓ませた状態で床化粧材３３の上面に当接させればよい。これにより、床押え板部１１０ａが水切り材１１０の弾力により床化粧材３３の上面に押しつけられるため床化粧材３３の端縁部の浮きをより一層規制することができる。したがって、床化粧材３３の捲れ上がりをより一層抑制することが期待できる。
【０１０３】
（１０）上記実施形態では、水切り材３０をビス６３により内板固定板５５に固定したが、水切り材３０の固定手段はこれに限定されるものではない。例えば、水切り材３０を内板固定板５５にボルト等他の締結部材により固定してもよいし、溶接により固定してもよい。また、水切り材３０の固定は乾式固定に限定されず接着剤等による湿式固定としてもよい。
【０１０４】
（１１）上記実施形態では、建物１０の二階部分１４に設けられたバルコニー２０に対して本発明を適用したが、本発明は他の用途にも適用することができる。例えば、本発明を建物の一階部分に設けられたテラスやデッキあるいは建物の屋上やベランダ等に適用してもよい。
【０１０５】
（１２）上記実施形態では、床化粧材３３を複数の床化粧ユニット３４を連結することにより構成したが、床化粧材３３を長尺シート状のものとしてもよい。この場合、床化粧材３３をバルコニー２０の広さに応じて必要な長さに切り取って使用すればよい。
【０１０６】
（１３）上記第２の実施形態では、水切り材７０を床化粧材役物７１に係合させる構成としたが、水切り材７０を床化粧材３３に係合させる構成としてもよい。この場合、床化粧材役物７１を不要とすることができるため、より一層簡素な構成で床化粧材３３の捲れ上がりを抑制することができる。但し、水切り材７０を床化粧材３３に係合させる構成とすると、床化粧材３３の上面側に突起物等からなる係合部を設ける必要があるため、その係合部が歩行の妨げとなるおそれがある。その点を鑑みると、水切り材７０を床化粧材役物７１に係合させる構成とするのが好ましい。
【０１０７】
（１４）上記実施形態では、水切り材３０をバルコニー腰壁２２の下部に対してのみ取り付ける構成としたが、水切り材３０をさらに外壁部１８に対して取り付けてもよい。具体的には、外壁部１８のうちバルコニー２０に面した部位（窓部１９を挟んで両側の部位）に水切り材３０を取り付ける。これにより、床化粧材３３の外壁部１８側端縁部における上面の一部をその水切り材３０の床押え板部３０ｇにより当接させることによって床化粧材３３の外壁部１８側端縁部の浮き上がりを防止することができる。したがって、より一層床化粧材３３の捲れ上がりを抑制することが期待できる。
【０１０８】
（１５）上記実施形態では、水切り材３０の床押え板部３０ｇを床化粧材３３端縁部における上面に当接させることにより床化粧材３３の端縁部の浮き上がりを規制したが、これを変更してもよい。例えば、腰壁内板４３を下方に延ばし、その腰壁内板４３の下端部を床化粧材３３端縁部における上面に当接させることにより床化粧材３３端縁部の浮き上がりを規制してもよいし、腰壁内板４３の下方に別途規制部材を設け、その規制部材を床化粧材３３端縁部における上面に当接させることにより床化粧材３３端縁部の浮き上がりを規制してもよい。
【図面の簡単な説明】
【０１０９】
【図１】本実施形態における建物の概略を示す縦断面図。
【図２】バルコニー周辺を示す横断面図。
【図３】バルコニー腰壁の下部周辺の構成を示す縦断面図。
【図４】（ａ）は床化粧ユニットを示す平面図、（ｂ）は床化粧ユニットを示す正面図。
【図５】水切り材を示す斜視図。
【図６】第２の実施形態におけるバルコニー腰壁の下部周辺の構成を示す縦断面図。
【図７】別例における水切り材の床押え板部周辺を示す要部縦断面図。
【図８】別例における床化粧材を示し、（ａ）が床化粧材を示す横断面図、（ｂ）及び（ｃ）が端縁側床化粧ユニットを示す平面図。
【図９】水切り材の別例を示す縦断面図。
【図１０】水切り材の係合板部の別例を示す縦断面図。
【図１１】ブラケットを用いた水切り材の取り付けを示す縦断面図。
【図１２】クッション材の貼り付け状態を示す縦断面図。
【図１３】別例における床化粧材役物を示す縦断面図。
【図１４】別例における水切り材周辺の構成を示す縦断面図。
【符号の説明】
【０１１０】
１０…建物、２０…バルコニー、２１…バルコニー床、２２…壁としてのバルコニー腰壁、３０…水切り材、３０ｇ…部分及び床押え部としての床押え板部、３３…床化粧材、３４…床化粧ユニット、３７ａ…連結孔、３８…連結ピン、７０ｇ…部分及び係合部としての係合板部、７１…一体物及び係合部材としての床化粧材役物、１０１〜１０３…緩衝材としてのクッション材、１０５…一体物及び係合部材としての床化粧材役物、１１０…水切り材。
【図１】
2010071049.tif 000003
【図２】
2010071049.tif 000004
【図３】
2010071049.tif 000005
【図４】
2010071049.tif 000006
【図５】
2010071049.tif 000007
【図６】
2010071049.tif 000008
【図７】
2010071049.tif 000009
【図８】
2010071049.tif 000010
【図９】
2010071049.tif 000011
【図１０】
2010071049.tif 000012
【図１１】
2010071049.tif 000013
【図１２】
2010071049.tif 000014
【図１３】
2010071049.tif 000015
【図１４】
2010071049.tif 000016